【手続補正書】
【提出日】令和3年5月6日(2021.5.6)
【手続補正１】
【補正対象書類名】明細書
【補正対象項目名】全文
【補正方法】変更
【補正の内容】
【発明の詳細な説明】
【発明の名称】表示装置
【技術分野】
【０００１】
本発明は、例えば、電気機器等において文字や図形、絵柄等の情報を表示する表示装置に関する。
【背景技術】
【０００２】
従来、この種の表示装置としては、例えば、特許文献１に開示されているように、透明の導光板と、導光板の端面に光を入射させる発光ダイオード（ＬＥＤ）等の光源とを備えたものがある。
【０００３】
ここで、導光板の端面に入射した光は、導光板の内部で伝搬されるとともに、導光板の反射面に形成されたプリズムで反射することによって、その反射面と向かい合う出射面から出射する。そのため、プリズムを適切な形状及び位置に設け、光源を発光させることで、文字や図形、絵柄等の情報を表示することができる。
【０００４】
ところで、光源を隠すために、隠蔽板を用いることがある。隠蔽板は、情報表示のために光を透過させる透光部と、透光部よりも低い光透過率を有する遮光部とを含み、遮光部によって光源が隠される。
【先行技術文献】
【特許文献】
【０００５】
【特許文献１】特開２０１６−１８０８２３号公報
【発明の概要】
【発明が解決しようとする課題】
【０００６】
しかしながら、特許文献１に記載の表示装置において隠蔽板を設けた場合には、導光板の側面で反射した光がプリズムに反射し、導光板の出射面から出射して透光部に入射することによって、文字や図形等の表示輪郭が不鮮明になり、ぼやけて見える場合がある。この問題について、図１６及び図１７を用いて説明する。
【０００７】
図１６において、１０１はＬＥＤ等の光源、１０２は導光板、１０３は導光板１０２の出射面と対面する面に設置されたプリズムである。１０６は光の散乱透過性を持つ隠蔽シートであり、導光板１０２の出射面側に配置される。隠蔽シート１０６のうち、１０７の部分は、光散乱透過性を有する光散乱透過部であり、光散乱透過部１０７以外は、ほぼ遮光されるようになっている。
【０００８】
光源１０１から出射された光１０４は、導光板１０２内を導光する。光１０４は、プリズム１０３で反射され、導光板１０２の出射面側へ出射する。導光板１０２から出射した出射光１０５は、隠蔽シート１０６に入射する。この点を入射点１０８とする。入射点１０８に入射した光は、光散乱透過部１０７の光散乱性により散乱透過し、透過散乱光１０９を生じる。これにより、隠蔽シート１０６側から見たときに、入射点１０８が光っているように見える。
【０００９】
図１７は、図１６に示した光の導光の様子を斜め上方から見た模式図である。光源１０１から出射された光１０４は、導光板１０２内を導光する。そして、プリズム１０３に向かって進む光１０４は、プリズム１０３で反射されて導光板１０２から出射する出射光１０５となる。出射光１０５は、隠蔽シート１０６の入射点１０８へ入射し、透過散乱光１０９を生じる。一方、光源１０１からは、プリズム１０３へ向かって進まない光１０４’も存在する。
【００１０】
光１０４’は、導光板１０２の側面等で反射し、プリズム１０３へ斜め方向から入射する。そのため、光１０４’は、プリズム１０３から斜め方向へ反射され、導光板１０２の出射面から出射し、出射光１０５’となる。
【００１１】
出射光１０５’は、プリズム１０３から斜め方向に出射するので、隠蔽シート１０６に入射する位置は、入射点１０８とは異なる入射点１０８’となる。入射点１０８’に入射した光は、透過散乱光１０９’を生じる。
【００１２】
そのため、隠蔽シート１０６側から見ると、透過散乱光１０９とともに透過散乱光１０９’も見え、入射点１０８とともに、距離Ｄだけ離れた入射点１０８’も光って見えることになる。
【００１３】
すなわち、一つのプリズム１０３で反射される光が、光散乱透過部１０７の複数個所を光らせることを表し、プリズム１０３の集合体として表示される絵柄の輪郭がぼやけることになる。
【００１４】
本発明は、かかる点に鑑みてなされたものであり、その目的は、文字や図形等の表示輪郭が不鮮明になるのを抑えた表示装置を提供することにある。
【課題を解決するための手段】
【００１５】
本発明の表示装置は、入射端面と反射面と出射面とを有し、前記入射端面から入射した光を伝搬し、前記反射面に設けられたプリズムで反射させ、前記反射面と向かい合う前記出射面から出射させる導光板と、前記導光板の前記入射端面に光を入射させる光源と、前記導光板の前記出射面の側に配設されるとともに、前記導光板の前記出射面から出射する光を透過させる透光部と、前記透光部よりも光透過率が低い遮光部と、を有する隠蔽板と、を備え、前記導光板は、前記導光板の前記入射端面と前記入射端面に対向する対向端面とを除く側面端面に複数の斜面を含む斜面群を有し、前記複数の斜面の辺の中心と前記光源の中心とを結ぶ線分と、前記斜面の辺とは略垂直である。
【発明の効果】
【００１６】
本発明の表示装置によれば、導光板の側面からの不要な反射光を無くし、プリズムに入射する光の広がり角度を小さくすることができる。したがって、導光板の出射面側に隠蔽板を設けても、文字や図形等の表示輪郭が不鮮明にならない、見栄えのよい表示装置が得られる。
【図面の簡単な説明】
【００１７】
【図１】本実施の形態１に係る表示装置の概略構成図である。
【図２】意匠シートの構成を示す図である。
【図３】隠蔽シートの構成を示す図である。
【図４】プリズムの集合体としての絵柄を示す図である。
【図５】導光板の構成を示す図である。
【図６】（ａ）は、三角形状部の斜面の形状を示す図であり、（ｂ）は、斜面カット部の形状を示す図である。
【図７】（ａ）は、三角形状部の斜面の別の形状を示す図であり、（ｂ）は、斜面カット部の別の形状を示す図である。
【図８】導光板を平面に展開した構成を示す図である。
【図９】導光板を平面に展開した構成を示す図である。
【図１０】（ａ）は、導光板における光の導光の様子を示す平面図であり、（ｂ）は、導光板における光の導光の様子を示す側面図である。
【図１１】本実施の形態２に係る表示装置の概略構成を示す斜視図である。
【図１２】導光板の構成を示す図である。
【図１３】（ａ）は、左側の光源によって導光板に表示される絵柄を示す図であり、（ｂ）は、下側の光源によって導光板に表示される絵柄を示す図である。
【図１４】（ａ）は、左側の光源の光がプリズムで反射されて表示される絵柄を示す図であり、（ｂ）は、下側の光源の光がプリズムで反射されて表示される絵柄を示す図である。
【図１５】本実施の形態３に係る表示装置の概略構成図である。
【図１６】従来の表示装置の概略構成図である。
【図１７】従来の表示装置において、表示輪郭が不鮮明となる原理を説明するための斜視図である。
【発明を実施するための形態】
【００１８】
以下、本発明の実施形態を図面に基づいて説明する。なお、以下の好ましい実施形態の説明は、本質的に例示に過ぎず、本発明、その適用物或いはその用途を制限することを意図するものではない。
【００１９】
《実施の形態１》
図１は、実施の形態１に係る表示装置の構成概略図を示す。図中には、ＸＹＺの方向を示している。図１に示すように、表示装置１０は、第１の光源１１と、第２の光源１２と、意匠シート１５と、導光板２０と、隠蔽シート３０（隠蔽板）と備えている。
【００２０】
意匠シート１５は、導光板２０の表示部２１の反射面側に配設されている。図２に示すように、意匠シート１５は、光を透過しない遮光部１６と、文字や絵柄の形状に形成されて光を透過する光透過部１７とを有する。図２に示す例では、光透過部１７は、文字「Ａ」の形状に形成されている。
【００２１】
図１に示すように、隠蔽シート３０は、導光板２０の表示部２１の出射面側に配設されている。図３に示すように、隠蔽シート３０は、情報表示のために光を透過させる散乱性を有する透光部３１と、透光部３１よりも光透過率が低い遮光部３２とを有する。ここで、透光部３１のＹ方向の高さをＨ＿ｃｐとする。
【００２２】
図１に示すように、第１の光源１１及び第２の光源１２は、ＬＥＤ等で構成されている。第１の光源１１からの光は、導光板２０の入光部２２に入射されて導光板２０内を導光する。第２の光源１２からの光は、意匠シート１５の光透過部１７及び導光板２０の表示部２１を透過して、隠蔽シート３０の透光部３１で表示される。
【００２３】
導光板２０は、Ｘ方向に延びる表示部２１と、Ｚ方向に延びる入光部２２と、表示部２１と入光部２２とを連続的に繋ぐ屈曲部２３とを有する。表示部２１には、複数のプリズム２４が設けられている。図４に示すように、微細なプリズム２４の集合体として、絵柄２５が形成される。図４に示す例では、絵柄２５は、文字「Ｂ」である。
【００２４】
図５は、導光板２０を、隠蔽シート３０側から見たときの構成を示す図である。図５に示すように、導光板２０の表示部２１には、斜面群としての複数の三角形状部５０と、斜面カット部５５とが設けられている。三角形状部５０は、表示部２１における、導光する光の中心線に対して平行で且つ出射面に略垂直な２つの辺である第１の側辺及び第２の側辺（図５ではＹ方向の両側の辺）に形成されている。
【００２５】
斜面カット部５５は、表示部２１における、第１の光源１１からの光が入光する部位とは反対側の側面（図５ではＸ方向の右側の側面）に形成されている。図６（ａ）にも示すように、斜面カット部５５は、導光板２０の上面よりも下面の方が長い形状に形成されている。ここで、斜面カット部５５と導光板２０の底面とのなす角度をθｔとする。
【００２６】
また、詳しくは後述するが、図６（ｂ）に示すように、複数の三角形状部５０にも、斜面カット部５５と同様の断面形状のカット面５１ｐが複数形成されている。
【００２７】
なお、斜面カット部５５の形状は、これに限定するものではなく、例えば、図７（ａ）に示すように、斜面カット部５５は、導光板２０の上面よりも下面の方が短い形状に形成されていてもよい。また、複数の三角形状部５０のカット面５１ｐについても、図７（ｂ）に示す断面形状としてもよい。
【００２８】
図８及び図９は、導光板２０の屈曲部２３を伸ばすことで、表示部２１、屈曲部２３、入光部２２を平面に展開した状態を示す図である。図８及び図９に示すように、三角形状部５０は、表示部２１の上側の辺に４箇所、下側の辺に４箇所形成されている。なお、以下の説明では、上側の辺の４つの三角形状部５０について説明する。
【００２９】
図８及び図９に示すように、４つの三角形状部５０は、第１斜面辺５１，５２，５３，５４と、第２斜面辺５１ｈ、５２ｈ、５３ｈ、５４ｈとを有する。図８に示すように、第１斜面辺５１〜５４は、逆導光方向（図８では左方向）に向かうほどＹ方向の外方に広がるように傾斜した辺である。
【００３０】
ここで、第１の光源１１の中心と絵柄２５の中心を結ぶ線分と、第１の光源１１の中心と４つの第１斜面辺５１〜５４をそれぞれ結ぶ線分とのなす角度を、それぞれ、θ＿１−５１、θ＿１−５２、θ＿１−５３、θ＿１−５４とする。
【００３１】
また、第１の光源１１と絵柄２５の中心を結ぶ線分と、４つの第１斜面辺５１〜５４とのなす角度を、それぞれ、θ５１、θ５２、θ５３、θ５４とする。
【００３２】
図９に示すように、第２斜面辺５１ｈ〜５４ｈは、三角形状部５０を作る辺のうち、第１斜面辺５１〜５４とは異なるもう一方の辺である。また、第２斜面辺５１ｈ〜５４ｈから紙面奥側に向かって傾斜するように、カット面５１ｐ、５２ｐ、５３ｐ、５４ｐが形成されている。
【００３３】
カット面５１ｐ〜５４ｐは、例えば、図６（ｂ）に示す断面形状に形成されている。なお、図７（ｂ）に示す断面形状に形成されていてもよい。
【００３４】
ここで、第１の光源１１の中心と絵柄２５の中心を結ぶ線分と、第１の光源１１の中心と４つの第２斜面辺５１ｈ〜５４ｈの中心を結ぶ線分と、のなす角度を、それぞれ、θ＿１−５１ｈ、θ＿１−５２ｈ、θ＿１−５３ｈ、θ＿１−５４ｈとする。また、第１の光源１１と絵柄２５の中心を結ぶ線分と、第２斜面辺５１ｈ〜５４ｈの垂線とのなす角度を、それぞれ、θ＿５１ｈ、θ＿５２ｈ、θ＿５３ｈ、θ＿５４ｈとする。ここで、第２斜面辺５１ｈ〜５４ｈの中心と第１の光源の中心とを結ぶ線分と、第２斜面辺５１ｈ〜５４ｈと、は略垂直である。
【００３５】
斜面カット部５５は、カット面５５ｐを有する。カット面５５ｐは、導光する光の中心線に対して垂直で且つ出射面に垂直な、入光辺と対向する側面に形成された斜面である。
【００３６】
また、図５に示すように、表示したい絵柄２５の高さをＨ＿ｂｐ、導光板２０の表示部２１の高さをＨ＿ｂ、表示部２１における三角形状部５０が無い部分の高さ（上側及び下側の三角形状部５０の頂点間の距離）をＨ＿ｂｙとする。
【００３７】
図１０は、導光板２０の三角形状部５０の作用を説明するための概略図である。図１０（ａ）に示す矢印５００の方向の導光板２０の断面における光の導光の様子を、図１０（ｂ）に示す。
【００３８】
第１の光源１１から出射した光１１ａは、導光板２０の入光部２２、屈曲部２３、表示部２１を伝搬し、カット面５１ｐに入射する。カット面５１ｐに入射した光は、カット面５１ｐによって反射され、導光板２０から出射される。
【００３９】
なお、１つのカット面５１ｐのみについて説明したが、その他のカット面５２ｐ〜５４ｐについても同様に、到達した光は、導光板２０の外方へと反射される。
【００４０】
これにより、端面で反射した光が、再び導光板２０へ伝搬するのを抑制することができる。なお、この効果を得るためには、カット面５１ｐ〜５４ｐと第１斜面辺５１〜５４とが、所定の方向になっている必要がある。
【００４１】
具体的には、以下の条件を満たす必要がある。
【００４２】
｜（θ＿１−５１）−（θ５１）｜  ≦  ４０°  ・・・（１）
｜（θ＿１−５２）−（θ５２）｜  ≦  ４０°  ・・・（２）
｜（θ＿１−５３）−（θ５３）｜  ≦  ４０°  ・・・（３）
｜（θ＿１−５４）−（θ５４）｜  ≦  ４０°  ・・・（４）
且つ、
｜（θ＿１−５１ｈ）−（θ_５１ｈ）｜  ≦  ４０°  ・・・（５）
｜（θ＿１−５２ｈ）−（θ_５２ｈ）｜  ≦  ４０°  ・・・（６）
｜（θ＿１−５３ｈ）−（θ_５３ｈ）｜  ≦  ４０°  ・・・（７）
｜（θ＿１−５４ｈ）−（θ_５４ｈ）｜  ≦  ４０°  ・・・（８）
且つ、
２０°＜  θｋ  ＜６０°  ・・・（９）
２０°＜  θｔ  ＜６０°  ・・・（１０）
ここで、第１斜面辺５１〜５４の角度は、例えば、｜（θ＿１−５１）−（θ５１）｜が４０°を超えると、第１の光源１１からの光が第１斜面辺５１で反射してしまい、不要な反射光が導光板２０内で伝搬してしまう。そのため、上述した（１）〜（４）式を満たす必要がある。
【００４３】
また、カット面５１ｐ〜５４ｐの角度は、例えば、｜（θ＿１−５１ｈ）−（θ_５１ｈ）｜が４０°を超えると、第１の光源１１からの光が第１斜面辺５１で反射されたときに、第１斜面辺５１に斜めに入射することになり、その反射光が導光板２０から出射する方向に向かわず、再び導光板２０を伝搬してしまうこととなる。そのため、上述した（５）〜（８）式を満たす必要がある。つまり、上述の（５）〜（８）式を満たすと、第２斜面辺５１ｈ〜５４ｈの中心と第１の光源の中心とを結ぶ線分と、第２斜面辺５１ｈ〜５４ｈと、は略垂直の関係となる。
【００４４】
また、斜面カット部５５や三角形状部５０の斜面の角度が６０°よりも大きいと、その面で反射した光が導光板２０の外方へ出射せず、再び導光板２０内を伝搬する割合が大きくなる。同様に、２０°より小さくても、その面で反射した光が導光板２０の外方へ出射せずに、再び、導光板２０内を伝搬する割合が高くなり、十分な効果が得られない。そのため、上述した（９）式及び（１０）式を満たす必要がある。
【００４５】
また、表示情報に不要な絵柄を表示させないためには、以下の条件を満たすことが望まれる。
【００４６】
Ｈ＿ｂ  ＞  Ｈ＿ｂｙ  ＞  Ｈ＿ｃｐ  ＞  Ｈ＿ｂｐ  ・・・（１１）
具体的に、Ｈ＿ｂｙよりもＨ＿ｃｐが大きいと、三角形状部５０で導光板２０の外方へ出射した光が、隠蔽シート３０の光の透光部３１を通って見えてしまう可能性がある。また、Ｈ＿ｃｐよりもＨ＿ｂｐが大きいと、表示したい絵柄２５を形成するプリズム２４での反射光が、隠蔽シート３０の遮光部３２で遮られて表示できなくなってしまう。そのため、上述した（１１）式を満たす必要がある。
【００４７】
以上のように、本実施形態に係る表示装置１０によれば、第１の光源１１からの入射光が、導光板２０の側面で反射されて不要な伝搬光にならないので、プリズム２４に入射する光の広がり角を狭くすることができる。これにより、導光板２０からの出射角度を小さくして、表示ぼやけを抑えることができる。
【００４８】
《実施の形態２》
図１１は、実施の形態２に係る表示装置の構成概略図を示す。以下、実施形態１と同じ部分については同じ符号を付し、相違点についてのみ説明する。
【００４９】
図１１に示すように、導光板４０は、ＸＹ方向に拡がる１枚の板材で構成され、表示部４１を有する。
【００５０】
第１の光源１１，１３は、導光板４０の表示部４１のＸ方向の端部と、Ｙ方向の端部とにそれぞれ配設されている。第１の光源１１，１３からの光は、導光板４０の端面から入射されて導光板４０内を導光する。第２の光源１２からの光は、意匠シート１５の光透過部１７及び導光板４０の表示部４１を透過して、隠蔽シート３０の透光部３１で表示される。
【００５１】
図１２に示すように、導光板４０の表示部４１には、入光部Ｈ１，Ｈ２と、複数の三角形状部５０と、斜面カット部５５とが設けられている。具体的に、導光板４０における、図１２で左側に配置された第１の光源１１に対向する位置に、入光部Ｈ１が設けられている。また、第１の光源１１からの光に対応するように、図１２で上側及び下側の辺に、三角形状部５０が形成されている。また、図１２で右側の辺に、斜面カット部５５が形成されている。
【００５２】
また、導光板４０における、図１２で下側に配置された第１の光源１３に対向する位置に、入光部Ｈ２が設けられている。また、第１の光源１３からの光に対応するように、図１２で左側及び右側の辺に、三角形状部５０が形成されている。また、図１２で上側の辺に、斜面カット部５５が形成されている。
【００５３】
図１３は、導光板４０で表示したい絵柄２５，２７の例を示す。図１３（ａ）に示すように、左側に配置された第１の光源１１からの光によって、絵柄２５（文字「Ｂ」）が導光板４０に表示される。また、図１３（ｂ）に示すように、下側に配置された第１の光源１３からの光によって、絵柄２７（文字「Ｃ」）が表示される。
【００５４】
具体的に、図１４（ａ）に示すように、絵柄２５は、プリズム２４の集合体によって形成される。プリズム２４は、左側に配置された第１の光源１１からの光を反射して、導光板４０の正面方向へ出射するように配置されている。
【００５５】
また、図１４（ｂ）に示すように、絵柄２７は、プリズム２６の集合体によって形成される。プリズム２６は、下側に配置された第１の光源１３からの光を反射して、導光板４０の正面方向へ出射するように配置されている。
【００５６】
これにより、表示させたい絵柄２５，２７に対応して、第１の光源１１，１３を点灯させることにより、２つの絵柄２５，２７を切り替えて導光板４０に表示することができる。
【００５７】
図１２で左側に配置された第１の光源１１に対しては、実施の形態１で示した、図９のカット面５１ｐ、５２ｐ、５３ｐが、図１２のカット面５１ｐ＿１ｕ、５２ｐ＿１ｕ、５３ｐ＿１ｕ及び、カット面５１ｐ＿１ｂ、５２ｐ＿１ｂ、５３ｐ＿１ｂに相当する。また、図９のカット面５５ｐが、図１２のカット面５５ｐ＿１、５５ｐ＿１＿１、５５ｐ＿１＿２、５５ｐ＿１＿３に相当する。
【００５８】
また、図１２で下側に配置された第１の光源１３に対しては、導光板４０の配置を９０度回転させて考えると、図９のカット面５１ｐ、５２ｐ、５３ｐが、図１２のカット面５１ｐ＿２ｒ、５２ｐ＿２ｒ、５３ｐ＿２ｒ及び、カット面５１ｐ＿２l、５２ｐ＿２l、５３ｐ＿２lに相当する。また、図９のカット面５５ｐが、図１２のカット面５５ｐ＿２、５５ｐ＿２＿１、５５ｐ＿２＿２、５５ｐ＿２＿３に相当する。
【００５９】
このように構成された導光板４０において、図１３（ａ）で左側に配置された第１の光源１１を点灯させたとき、実施の形態１と同様に、図１３（ａ）の絵柄２５が表示される。このとき、導光板４０の端面での反射を抑制できるので、絵柄の輪郭がぼやけないきれいな表示ができる。
【００６０】
同様に、図１３（ｂ）で下側に配置された第１の光源１３を点灯させたとき、図１３（ｂ）の絵柄２７が表示される。このとき、導光板４０の端面での反射を抑制できるので、絵柄の輪郭がぼやけないきれいな表示ができる。
【００６１】
《実施の形態３》
図１５は、実施の形態３に係る表示装置の構成概略図を示す。以下、前記実施形態１と同じ部分については同じ符号を付し、相違点についてのみ説明する。
【００６２】
図１５に示すように、表示装置１０は、第１の光源１１と、導光板２０と、隠蔽シート３０とを備えている。
【００６３】
第１の光源１１からの光は、導光板２０の入光部２２に入射されて導光板２０内を導光する。そして、実施の形態１で説明したのと同じ作用により、導光板２０の表示部２１に設けられたプリズム２４の集合体で、絵柄パターンが表示される。
【００６４】
以上のように、本実施形態に係る表示装置１０によれば、第１の光源１１からの入射光が、導光板２０の側面で反射されて不要な伝搬光にならないので、プリズム２４に入射する光の広がり角を狭くすることができる。これにより、導光板２０からの出射角度を小さくして、表示ぼやけを抑えることができる。
【産業上の利用可能性】
【００６５】
本発明は、例えば、家庭用、産業用、車載向け等の電気機器や装置等に用いられる表示装置、あるいは入力機能を持ったスイッチの表示部の品質の向上に寄与する。
【符号の説明】
【００６６】
１０    表示装置
１１、１３    第１の光源
１２    第２の光源
１５    意匠シート（光透過性部材）
１６    遮光部
１７    光透過部
２０    導光板
２１    表示部
２２    入光部
２３    屈曲部
２４    プリズム
２６    プリズム
３０    隠蔽シート（隠蔽板）
３１    透光部
３２    遮光部
４０    導光板
４１    表示部
５０    三角形状部（斜面群）
５５    斜面カット部
【手続補正２】
【補正対象書類名】特許請求の範囲
【補正対象項目名】全文
【補正方法】変更
【補正の内容】
【特許請求の範囲】
【請求項１】
入射端面と反射面と出射面とを有し、前記入射端面から入射した光を伝搬し、前記反射面に設けられたプリズムで反射させ、前記反射面と向かい合う前記出射面から出射させる導光板と、
前記導光板の前記入射端面に光を入射させる光源と、
前記導光板の前記出射面の側に配設されるとともに、前記導光板の前記出射面から出射する光を透過させる透光部と、前記透光部よりも光透過率が低い遮光部と、を有する隠蔽板と、
を備え、
前記導光板は、前記導光板の前記入射端面と前記入射端面に対向する対向端面とを除く側面端面に複数の斜面を含む斜面群を有し、
前記複数の斜面の辺の中心と前記光源の中心とを結ぶ線分と、前記斜面の辺とは略垂直である
表示装置。
【請求項２】
前記光源は、複数の光源のうちの一つであり、
前記複数の光源は、前記導光板の第１の入射端面と第２の入射端面にそれぞれ光を入射させるように配設され、
前記導光板には、前記第１の入射端面と前記第１の入射端面に対向する対向端面とを除く側面端面と、前記第２の入射端面と前記第２の入射端面に対向する対向端面とを除く側面端面とに、前記第１の入射端面と前記第２の入射端面の入光位置に対して略垂直な辺を持つ斜面群がそれぞれ設けられている
請求項１記載の表示装置。
【請求項３】
前記導光板における前記斜面群の各々の斜面と前記反射面とのなす角度θｋが、
２０°＜  θｋ  ＜６０°
という条件を満たす
請求項１又は２記載の表示装置。
【請求項４】
前記斜面群を構成する各々の出射面内の各辺の中心と、前記光源からの光が前記導光板に入射されて前記導光板内で仮想光源とみなされる位置とを結ぶ線分を、前記出射面に投影した線分と、
前記斜面群を構成する各出射面内の各辺の垂線と、
のなす角度θｐ（ｎ）が、
｜θｐ（ｎ）｜≦  ４０°    （ｎ＝１，２，・・・）
という条件を満たす
請求項１又は２記載の表示装置。
【請求項５】
前記導光板における前記対向端面の斜面と前記反射面とのなす角度θｔが、
２０°＜  θｔ  ＜６０°
という条件を満たす
請求項１又は２記載の表示装置。
【請求項６】
前記プリズムの集合体で形成される絵柄の、前記側面端面方向の幅Ｈ＿ｂｐと、前記導光板の前記側面端面方向の幅Ｈ＿ｂと、前記導光板における前記斜面群が形成されていない領域の前記側面端面方向の幅Ｈ＿ｂｙと、前記隠蔽板の前記透光部における前記側面端面方向の幅Ｈ＿ｃｐとが、
Ｈ＿ｂ  ＞  Ｈ＿ｂｙ  ＞  Ｈ＿ｃｐ  ＞  Ｈ＿ｂｐ
という条件を満たす
請求項１又は２記載の表示装置。
【請求項７】
前記導光板の前記反射面側に配設され、部分的に光を透過させる光透過性部材と、
前記導光板の前記反射面側で且つ前記光透過性部材よりも離れて配設され、前記導光板の入射端面から光を入射させる前記光源とは別の光源と、
をさらに備えた
請求項１乃至６のうち何れか１つに記載の表示装置。